(57)【要約】【課題】カメラの大きさを維持しつつ、電波時計機能を有したカメラ装置を提供すること。【解決手段】本発明のカメラ装置１０は、標準時刻を示す標準電波信号を受けて、その信号により時刻を修正可能な第１時計手段と第１時計手段による時刻に相当する時刻信号を送ることが可能な送信手段とを有するカメラケース１４及び送信手段からの時刻信号を受けて、その時刻信号に基づいて時刻を修正可能な第２時計手段を有するカメラ１２を備えている。更に、上記カメラ装置は、ケースにカメラが収納されたことを検出する検出手段を備えている。このカメラ装置は、検出手段がカメラを検出した場合に、送信手段からカメラに時刻信号を送ってカメラの第２時計手段によりカメラの時刻が修正されることを特徴とする。この装置では、カメラケースに電波時計機能があるためカメラは大きくならない。また、ケース収納時にのみ時刻修正するので電池の消費を低減できる。【選択図】　図１
2004048382.tif 000002
【特許請求の範囲】
【請求項１】
標準時刻を示す標準電波信号を受け、当該標準電波信号に基づいて時刻を修正することが可能である第１時計手段と、前記第１時計手段による時刻に相当する時刻信号を送ることが可能である送信手段とを有するカメラケースと、
前記送信手段から送られた時刻信号を受け、当該時刻信号に基づいて時刻を修正することが可能である第２時計手段を有するカメラと、
を備え、
前記カメラが前記カメラケースに収納された場合に、前記送信手段から前記カメラに前記時刻信号を送って前記カメラの前記第２時計手段により前記カメラの時刻が修正されるようになっていることを特徴とするカメラ装置。
【請求項２】
前記カメラが、前記カメラを遠隔操作するリモートコントローラからの制御情報に相当する光信号を受けることができる受光部を備え、
前記受光部が、前記第２時計手段における前記送信手段から送られた時刻信号を受ける手段となっていることを特徴とする請求項１に記載のカメラ装置。
【請求項３】
前記カメラが、被写体に投光するための発光部と、前記発光部からの光であって、前記被写体から反射した光を受けることが可能である受光部を有した測距装置を備え、
前記受光部が、前記第２時計手段における前記送信手段から送られた時刻信号を受ける手段となっていることを特徴とする請求項１に記載のカメラ装置。
【発明の詳細な説明】
【０００１】
【発明の属する技術分野】
本発明は、いわゆる電波時計を備えたカメラ装置に関する。
【０００２】
【従来の技術】
カメラにおいて表示される時刻は、カメラ内部に設けられた水晶発振子等の一定周期の発振に基づいてカウントされているものである。しかしながら、発振子等の発振は周囲の温度状態等により周期に変動が生じるため、時刻にずれが発生する。このずれの修正は、カメラを時計の修正モードにして時、分、秒を個々に手動で入力することが一般的である。この修正操作は、煩雑であり、修正に時間も要し、時間を正確に合わせることも困難である。
【０００３】
この煩雑さを避けるために、標準電波信号を受信して、その信号により時刻を修正するいわゆる電波時計をカメラに付加することが考えられる（例えば、特開２００１−２０９１１１号公報）。しかしながら、受信感度をあげるため、カメラに大きなアンテナを内蔵するとカメラ自体が大きくなるという問題点がある。
ここで、標準電波信号とは、日本あるいは外国の標準時刻が符号化された信号として電波で送信されているものである。
【０００４】
上述したような煩雑さやカメラの大型化等を回避する技術としては、特開２００１−１３５７４号公報に開示されているカメラシステムが知られている。このカメラシステムでは、腕時計の時刻情報を、カメラ側の要求信号に応じてカメラに取得してカメラの時刻を修正するようになっている。一方、腕時計には電波時計を内蔵しているものが知られている。そこで、特開２００１−１３５７４号公報に記載のカメラシステムに電波時計内蔵の腕時計を適用すれば、電波時計による標準時刻に相当する時刻情報をカメラが取得して、カメラの時刻を修正することが可能である。
【０００５】
【発明が解決しようとする課題】
上述したカメラシステムが機能するには、腕時計とカメラとが一対として存在しなければならない。しかしながら、腕時計とカメラとは、分離されており、必ずしも一緒にあるとは限らない。従って、腕時計が近くにないため、直ぐにカメラの時刻を修正できない場合が生じる。
【０００６】
本発明は係る事情に鑑みてなされたものであり、その目的は、前記問題点を解決することのできるカメラ装置を提供することにある。
【０００７】
【課題を解決するための手段】
上記目的を達成するために、本発明のカメラ装置は、標準時刻を示す標準電波信号を受け、その標準電波信号に基づいて時刻を修正することが可能な第１時計手段と第１時計手段による時刻に相当する時刻信号を送ることが可能な送信手段を有するカメラケース、及び送信手段から送られた時刻信号を受けて、その時刻信号に基づいて時刻を修正することが可能な第２時計手段を有するカメラを備えている。更に、上記カメラ装置は、カメラケースにカメラが収納されたことを検出する検出手段を備えている。このカメラ装置は、カメラケースにカメラが収納されたことを検出した場合に、カメラケースの送信手段からカメラに時刻信号を送り、カメラの第２時計手段によりカメラの時刻が修正されるようになっていることを特徴とする。
【０００８】
上述したカメラ装置では、カメラを使用しない場合にカメラを収納して携帯するためのカメラケースにいわゆる電波時計機能が付加されている。すなわち、通常カメラと共に持ち歩かれるカメラケースが標準時刻に相当する時刻情報を有しているようになっている。
【０００９】
そして、カメラケースにカメラを収納した場合にのみ、ケースからカメラに電波時計による標準時刻に相当する時刻情報が送信され、カメラの時刻が修正される。そのため、カメラの電源電池の消耗を低減できる。
【００１０】
第１時計手段としては、標準時刻を示す標準電波信号を受ける第１受信手段、基準クロックに基づいて計時する第１計時手段、及び一定時間毎に標準電波信号のデータである標準時刻で、第１計時手段により生成された時刻を自動的に修正する第１修正手段を有しているものが考えられる。第２時計手段としては、カメラケースの送信手段から送られる時刻信号を受ける第２受信手段、基準クロックに基づいて計時する第２計時手段及び時刻信号に基づいて第２計時手段で生成された時刻を修正する第２修正手段を有しているものでも良い。
【００１１】
更に、上述したカメラが、カメラを遠隔操作するリモートコントローラ（以下、「リモコン」という）からの制御情報に相当する光信号を受ける受光部を備えている場合、その受光部をカメラケースの送信手段から送られる信号を受ける第２受信手段とすることができる。また、カメラが、被写体に投光するための発光部と、発光部からの光で被写体から反射してきた光を受けることが可能である受光部を有する測距装置を備えている場合に、その受光部を、第２時計手段におけるカメラケースの送信手段から送られる信号を受ける第２受信手段とすることも有効である。
【００１２】
リモコンや測距装置は、カメラをカメラケースに収納する場合には使用されておらず、それらを利用することでカメラの機能を有効に活用することができるからである。
【００１３】
【発明の実施の形態】
以下、図面を参照して本発明の好適な実施形態について詳細に説明する。以下の説明においては、全図を通し、同一又は相当部分には同一符号を付することとする。また、本明細書における「上」、「下」等の方向を示す語は、図面に示された状態に基づいた便宜的な語である。
【００１４】
図１は、本発明によるカメラ装置の一実施形態を示す概略図である。カメラ装置１０は、カメラ１２とカメラケース１４とを有する。
【００１５】
図２は、カメラ１２の斜視図である。周知のようにカメラ本体１６の前部には、ＡＦ投光窓１８、ＡＦ受光窓２０等が設けられている。
【００１６】
ＡＦ投光窓１８は、カメラ本体１６内部に設けられている三角測量法を用いた測距装置２２の発光部である発光素子２４からの光を被写体側に通すための窓である。発せられる光は、赤外光である。ＡＦ受光窓２０は、ＡＦ投光窓１８を通って被写体に投光され、被写体から反射されてくる赤外光を通すための窓である。ＡＦ受光窓２０を透過した赤外光は、カメラ本体１６内部に設けられた測距装置２２の受光部である受光素子２６で受けられる。
【００１７】
また、カメラ本体１６上部には、モード設定スイッチ２８、液晶ディスプレイ（以下、「ＬＣＤ」）３０、レリーズボタン３２等が設けられている。
【００１８】
モード設定スイッチ２８は、撮影モードの設定等をするものである。ＬＣＤ３０は、撮影可能枚数、日時等の情報を表示するものである。レリーズボタン３２は、測光等や撮影を開始させるためのボタンである。
【００１９】
尚、カメラ１２はＲＯＭやＲＡＭ等を備えたマイクロプロセッサであるＣＰＵ３４を有しており、ＣＰＵ３４により上記の測距装置２２やモード設定スイッチ２８等の機能を制御しているが、その制御機能は周知のため説明を省略する。
【００２０】
図３は、カメラケース１４の斜視図である。カメラケース１４は、周知のようにカメラ１２を使用しない場合にカメラ１２を収納するケース本体３６と、蓋部３８とから構成されている。ケース本体３６は、一端にカメラを収納したり、取り出したりするために開口が形成されている箱状の容器である。また、蓋部３８は、ケース本体３６の側壁４０の開口側から連続して形成されており、ケース本体３６にカメラ１２が収納されている場合に、ケース本体３６の開口を覆うように位置するようになっている。
【００２１】
本実施形態のカメラ装置１０は、上述したカメラケース１４及びカメラ１２を利用したものであって、いわゆる電波時計を用いた装置であり、標準電波信号をカメラ１２に受信させるのではなく、カメラ１２を使用しない場合に収納して携帯するためのカメラケース１４に受信させることを特徴とする。すなわち、カメラ装置１０のカメラケース１４は、上記のケース本体３６に加えて、いわゆる電波時計機能を果たす第１時計手段を有し、その第１時計手段による標準時刻に相当する時刻情報をカメラ１２に送信するようになっている。
【００２２】
カメラケース１４のケース本体３６には第１時計手段としての受信機４２が設けられている。
【００２３】
受信機４２は、ケース本体３６の側壁４４の外側に設置されており、標準電波信号を受けて、標準電波信号のデータである標準時刻に相当する時刻を出力するものである。
【００２４】
受信機４２は、図４に示すようにＲＯＭやＲＡＭ等を備えたマイクロプロセッサであるＣＰＵ４６により制御される。ＣＰＵ４６には、電源回路４８、ＬＣＤ５０、受信回路５２、カメラ検出スイッチ５４、及び発光素子５６等が接続されている。
【００２５】
電源回路４８は、ＣＰＵ４６に電力を供給するものである。ＬＣＤ５０は、ＣＰＵ４６で処理された時刻情報を表示するものである。
【００２６】
受信回路５２には、標準電波信号を含む種々の電波信号を受けるアンテナ５８が接続されている。受信回路５２及びアンテナ５８は、受信機４２に内蔵されている。受信回路５２は、アンテナ５８に届く標準電波信号以外の電波信号から標準電波信号を選択し、ＣＰＵ４６に出力するものである。標準電波信号は、一定時間毎に自動的に受けられようになっている。
【００２７】
カメラ検出スイッチ５４は、図１に示すようにケース本体３６の側壁４４の内側に設置されている。検出スイッチ５４は、カメラ１２をケース本体３６に収納した場合に、カメラ１２を検出するものである。検出スイッチ５４としては、例えば、リミットスイッチの如きものが好適である。
【００２８】
発光素子５６は、ケース本体３６の側壁４４の内側であって、カメラ１２収納時に、カメラ本体１６に設けられているＡＦ受光窓２０に対向する位置に設置されている。本実施形態では、発光素子５６からの光は赤外光である。
【００２９】
また、ＣＰＵ４６は、水晶発振子等により発生する基準クロックに基づいて計時する第１計時手段としての機能を有している。以下、基準クロックに基づいて生成された時刻を表す信号を時刻信号という。更に、ＣＰＵ４６は、受信回路５２及びアンテナ５８により一定時間毎に標準電波信号を受けた場合には、標準電波信号を変換して標準時刻信号とし、その信号と時刻信号とを比較して相違がある場合に時刻信号を修正する第１修正手段としての機能も有している。ＣＰＵ４６から出力される第１時刻信号は、発光素子５６に入力される。
【００３０】
更に、ケース本体３６の底壁６２の内側には突起部６０が設けられている。
【００３１】
カメラ装置１０のカメラ１２は、カメラ１２がカメラケース１４に収納された場合に、ケース１４から送信される時刻情報を取得してその時刻情報に基づいてカメラ１２の時刻情報を更新する機能を有するものである。
【００３２】
カメラ１２は、上述した周知のカメラ１２の機能に加えて、ケース検出スイッチ６４を有している。検出スイッチ６４は、カメラ１２がケース本体３６に収納された場合、ケース本体３６の底壁６２に相対するカメラ本体１６の側部６６に設置されている。突起部６０とケース検出スイッチ６４とは、ケース本体３６の底壁６２とカメラ本体１６の側部６６とにおいて、カメラ１２がケース１４に収納された場合に、突起部６０が検出スイッチ６４を押し込める位置に夫々設置されている。
【００３３】
また、ケース検出スイッチ６４は、カメラ１２のＣＰＵ３４に接続されており、カメラ１２がケース１４に収納された場合にカメラ１２がケース１４に収納されたことを検出するものである。検出スイッチ６４は、カメラ１２がケース１４に収納され、突起部６０によって押し込まれた場合に、オン状態になるようになっている。
【００３４】
また、カメラ１２のＣＰＵ３４には、カメラ１２の電気的構成のブロック図である図５に示すように時刻信号受信回路６８が、更に接続されている。
【００３５】
時刻信号受信回路６８には受光素子が接続されており、受信回路６８は、カメラケース１４の発光素子５６からの光信号を受けてＣＰＵ３４に出力できるようになっている。本実施形態では、受信回路６８の受光素子は、測距装置２２の受光素子２６を用いている。また、受信回路６８は、カメラ１２のメインスイッチがオフ状態であって、ケース検出スイッチ６４がオン状態になった場合に起動されるようになっている。
【００３６】
上記の受信回路６８の構成では、メインスイッチがオフで、検出スイッチ６４がオン状態の場合に受信回路６８が起動される。一方、メインスイッチがオフの場合には、測距装置２２はオフ状態になっている。従って、測距装置２２の受光素子２６で受けた光は、受信回路６８を通してＣＰＵ３４に出力される。
【００３７】
また、ＣＰＵ３４は水晶発振子等から発振される信号を基準クロックとして計時する第２計時手段として機能する。更に、ＣＰＵ３４は、受信回路６８に接続されている測距装置２２の受光素子２６によりカメラケース１４からの第１時刻信号を受けた場合には、受信した第１時刻信号とカメラ１２内で生成された時刻信号とを比較し、相違がある場合に、時刻信号を第１時刻信号に基づいて修正する第２修正手段としても機能する。すなわち、受信回路６８やＣＰＵ３４によりカメラ１２は第２時計手段としての機能を有している。
【００３８】
以下に、図６〜８を利用してカメラ装置１０における時刻修正処理について説明する。
【００３９】
図６は、カメラケース１４の標準電波信号による時刻修正処理手順を説明するためのフローチャートである。
【００４０】
上述したように受信機４２は、標準電波信号を一定時間毎に自動的に受けるようになっている。そのため、ＣＰＵ４６は、まず、受信するための時刻か否かを判定する（Ｓ１００）。受信時刻である場合（Ｓ１００で「ＹＥＳ」）、標準時刻信号を受ける（Ｓ１０２）。受信が成立した場合（Ｓ１０４で「ＹＥＳ」）には、標準時刻信号と受信機４２内で生成されている時刻信号とを比較して相違がある場合には、標準時刻信号で時刻信号を修正する（Ｓ１０６）。尚、受信が成立しなかった場合（Ｓ１０４で「ＮＯ」）には、Ｓ１０２に移行して再度受信を実施する。
【００４１】
ＣＰＵ４６で処理され、出力された第１時刻信号はＬＣＤ５０で表示されると共に、発光素子５６に入力される。
【００４２】
次に、カメラケース１４からカメラ１２への時刻情報の送信に係る手順を、図７に基づいて説明する。
【００４３】
カメラ１２がカメラケース１４に収納された場合、すなわち、カメラ検出スイッチ５４がオンになると（Ｓ１０８で「ＹＥＳ」）、１００ｍｓ間、待機する（Ｓ１１０）。カメラ１２側が受信できる状態になるのを待つためである。
【００４４】
検出スイッチ５４がオン状態になって１００ｍｓ経過後、第１時刻信号が発光素子５６に入力されて、第１時刻信号が発光素子５６からカメラ１２に光信号として送られる（Ｓ１１２）。送信は、送信を開始してから５分以内に１０回行う。
尚、検出スイッチ５４がオンに変化しない場合（Ｓ１０８で「ＮＯ」）には、Ｓ１０８に移行し、カメラ１２がカメラケース１４に収納された場合（Ｓ１０８で「ＹＥＳ」）になった場合に、Ｓ１１０に移行する。
【００４５】
上述したように、ケース本体３６に設けられた受信機４２は、一定時間毎に標準時刻信号を受けて、受信機４２内で更新されている時刻信号を修正する。そのため、受信機４２の時刻は、通常、標準時刻に相当する。従って、ケース１４は、カメラ１２がケース１４に収納された場合には、標準時刻に相当する時刻を表す信号を送ることができる。
【００４６】
図８は、カメラ１２の時刻修正処理手順を説明するためのフローチャートである。
【００４７】
まず、ＣＰＵ３４は、カメラ１２のメインスイッチがオフになり、カメラケース１４に収納されたか否か、すなわち、カメラ１２のケース検出スイッチ６４がオンに変化したか否かを判定する（Ｓ１１４）。検出スイッチ６４がオンに変わった場合（Ｓ１１４で「ＹＥＳ」）、受信回路６８の電源がオンになる（Ｓ１１６）。
【００４８】
ここで、受信回路６８が安定するまで１０ｍｓ待機する（Ｓ１１８）。尚、検出スイッチ６４がオフの場合（Ｓ１１４で「ＮＯ」）には、Ｓ１１４に移行し、カメラ１２がケース１４に収納されてオンになった場合（Ｓ１１４で「ＹＥＳ」）になった場合に、Ｓ１１６に移行する。受信回路６８がオンになって、１０ｍｓ経過後に、受信をスタートする（Ｓ１２０）。
【００４９】
ＣＰＵ３４は、受信スタート後、ケース検出スイッチ６４がオフなっていない場合、すなわちカメラ１２がケース１４から取り出されていない場合（Ｓ１２２で「ＮＯ」）、受信を継続する。ＣＰＵ３４は受信が成立する前に５分を経過しているか否かを判定する（Ｓ１２４）。５分を経過していない場合（Ｓ１２４で「ＮＯ」）には、受信を続ける。５分を経過している場合（Ｓ１２４で「ＹＥＳ」）には、Ｓ１３０に移行して受信回路６８の電源をオフにする。受信開始から５分を経過した場合には、ケース１４から光信号が送られていないからである。すなわち、先述したように、カメラケース１４の発光素子５６からの光信号は送信を開始して５分以内に１０回送られる。また、ケース１４からの送信とカメラ１２の受信はほぼ同時に開始する。従って、受信を開始して５分経過している場合には、発光素子５６から信号は発せられていない。
【００５０】
受信が成立した場合（Ｓ１２６で「ＹＥＳ」）には、標準電波信号に相当する第１時刻信号と時刻信号とを比較して、相違がある場合には時刻信号を第１時刻信号で修正し、第１時刻信号に基づいて時刻を更新する（Ｓ１２８）。時刻が更新された後に、受信回路６８の電源はオフになる（Ｓ１３０）。尚、受信スタート後、受信が成立するまでの間であって、ケース検出スイッチ６４の状態を判定した場合に検出スイッチ６４がオフになっている場合、すなわち、使用者がカメラ１２を取り出した場合（Ｓ１２２で「ＹＥＳ」）には、Ｓ１３０に移行して受信回路６８がオフになる。
【００５１】
また、受信が成立しなかった場合（Ｓ１２６で「ＮＯ」）には、Ｓ１２２に移行し、受信が成立した場合（Ｓ１２６で「ＹＥＳ」）、検出スイッチ３０がオフになった場合（Ｓ１２２で「ＹＥＳ」）、又は受信スタートから５分経過する場合（Ｓ１２４で「ＹＥＳ」）のいずれかの場合に該当するまで受信を行う。
【００５２】
このような処理手順のため、カメラ１２は正確な時刻情報を手動で入力する必要がない。
【００５３】
また、カメラ１２は、カメラ１２のメインスイッチが切られてカメラケース１４に収納された場合に、受信回路６８の電源のみがオン状態になりケース１４からの信号を受けて時刻を修正する。そして、受信終了後には、受信回路６８の電源もオフ状態になる。従って、カメラ１２の電源電池の消費が少なくてすむ。
【００５４】
更に、標準電波信号を受けるためのアンテナ５８及び受信回路５２をカメラケース１４に設けているため、それらをカメラ１２に内蔵する必要がなく、カメラ１２が大きくならない。
【００５５】
更にまた、カメラ１２は、使用されない場合、カメラ１２を携帯するためや保護するためにカメラケース１４に収納されることが多い。そのため、カメラ１２とケース１４とは、通常一対としてある。従って、カメラ１２の時刻を修正したい場合に、すぐ近くに標準時刻に相当する時刻情報を有したケース１４が存在し、その情報を取得して時刻を修正できる。
【００５６】
以上、本発明の好適な実施形態について詳細に説明したが、本発明は上記実施形態に限定されないことは言うまでもない。
【００５７】
例えば、カメラケース１４にカメラ１２が収納されたことを検出する検出手段として、カメラ検出スイッチ５４及びケース検出スイッチ６４を用いているがこれらに限る必要はない。例えば、カメラケース１４に設けられた突起部６０及びケース検出スイッチ６４に互いに電気的に接続可能な端子を設けておき、突起部６０と検出スイッチ６４とが接触した場合に、相互に他方を検出することも考えられる。
【００５８】
また、カメラケース１４の送信手段として発光素子５６からの光を利用しているが、光以外のものでも良い。例えば、上述した突起部６０とケース検出スイッチ６４とが電気的に接続可能な端子を、更にデータを送受信可能にして電気的にデータを送受信することも考えられる。
【００５９】
更に、上述した好適な実施形態に係るカメラ装置１０の場合には、ケース１４からの光信号を受けるための手段として測距装置２２の受光素子２６を利用している。しかしながら、リモコンからの制御信号を受ける受光素子を利用することも可能である。この場合には、カメラケースに設けられた発光素子を、カメラ本体の前部に設けられた周知のリモコン受光窓に対向する位置に配置し、カメラの時刻信号受信回路をリモコンの制御信号を受ける受光素子に接続すれば良い。
【００６０】
更にまた、上記の実施形態では受信機は、標準電波信号を一定時間毎に受けるようになっているが、使用者が、別途受信機を操作して信号を所望の時に受けるようになっていても良い。
【００６１】
【発明の効果】
本発明のカメラ装置は、標準時刻を示す標準電波信号を、カメラを使用しない場合にカメラを収納するためのカメラケースで一定時間毎に受ける。そのため、カメラは、通常カメラと共に持ち歩くカメラケースから標準時刻に相当する時刻情報を取得して、カメラの時刻を修正することができる。従って、所望の時に、カメラの時刻を修正することが可能である。更に、カメラは、カメラをケースに収納した時のみ時刻修正を行う。そのため、電源電池の消耗を低減できる。更にまた、カメラに標準電波信号を受けるための機能を付与していないため、カメラが大きくならない。
【図面の簡単な説明】
【図１】本発明に係るカメラ装置の一実施形態の概略図である。
【図２】図１のカメラ１２の斜視図である。
【図３】図１のカメラケース１４の斜視図である。
【図４】受信機４２の電気的構成を示すブロック図である。
【図５】カメラ１２の電気的構成を示すブロック図である。
【図６】カメラケース１４の標準電波信号受信処理に係る処理手順を説明するフローチャートである。
【図７】カメラケース１４からカメラ１２に時刻情報を送信する場合の処理手順を説明するフローチャートである。
【図８】カメラ１２の時刻修正処理に係る処理手順を説明するフローチャートである。
【符号の説明】
１０…カメラ装置、１２…カメラ、１４…カメラケース、１６…カメラ本体、１８…ＡＦ投光窓、２０…ＡＦ受光窓、２２…測距装置、２４…発光素子（発光部）、２６…受光素子（受光部）、２８…モード設定スイッチ、３０…カメラのＬＣＤ、３２…レリーズボタン、３４…カメラのＣＰＵ、３６…ケース本体、３８…蓋部、４２…受信機、４６…受信機のＣＰＵ、４８…受信機の電源回路、５０…受信機のＬＣＤ、５２…受信回路、５４…カメラ検出スイッチ、５６…発光素子（送信手段）、５８…アンテナ、６０…突起部、６４…ケース検出スイッチ、６８…時刻信号受信回路
【図１】
2004048382.tif 000003
【図２】
2004048382.tif 000004
【図３】
2004048382.tif 000005
【図４】
2004048382.tif 000006
【図５】
2004048382.tif 000007
【図６】
2004048382.tif 000008
【図７】
2004048382.tif 000009
【図８】
2004048382.tif 000010